(57)【要約】【課題】従来の技術では、音響公害を防止でき、しかも持ち運びの容易な組み立て式であって、組み立て時に本物の楽器を演奏するのと同一の構えや運指の感触及び音質を得ることの可能な、共鳴胴を持つ練習用楽器を提供することができなかった。【解決手段】楽器の共鳴胴内部のブロックの形状を凹状にし、本物の楽器の共鳴胴よりも共鳴胴の幅を小さくし厚みを薄くすることにより音質を落とすことなく音量を小さくする。その共鳴胴に分解や組み立てが容易なフレームを取り付けることのより、本物の楽器と同一の演奏感触を得ることが可能となる。【選択図】図１
2004334136.tif 000002
【特許請求の範囲】
【請求項１】
共鳴胴内部のブロックの形状が凹形である楽器
【請求項２】
本物の楽器より共鳴胴を小型化し音量を小さくした請求項１記載の楽器
【請求項３】
本物の楽器を練習するための楽器において、次の要件を満たすもの。
（１）  請求項１または請求項２記載の共鳴胴を有する。
（２）  本物の楽器の各部分のうち演奏時に演奏者の体が実際に触れる部分を少なくとも備えている。
（３）  適当な単位で分解及び組み立てが可能な構造を有する。
【請求項４】
図５記載のフレームの形状及び結合方法。
【請求項５】
図９記載のフレームの形状及び折りたたみ方法。
【発明の詳細な説明】
【０００１】
【発明の属する技術分野】
本発明は次の要件を備えた練習用楽器である。
（１）  本物の楽器と音質が変わらず音量のみ小さい。
（２）  簡単に分解及び組み立てが可能。
（３）  本物の楽器と演奏感覚が同じ。
【０００２】
【従来の技術】
楽器演奏愛好家はいつでもどこでも楽器の練習をしたいものである。しかし旅行先等でかさばる楽器を持っていけないとか、近所迷惑になるため音量を抑えて練習しなければならない、といった問題が発生する。この問題を解決するために従来いろいろな技術が使われてきた。その主な技術は次の三点である。
（ア）  電子楽器（共鳴胴を持たず電気によって音を出す楽器）。
（イ）  本物の楽器の共鳴胴の部分をそのまま小さくした楽器。
（ウ）  本物の楽器に取り付ける弱音器。
これらの技術には次のような欠点がある。
【０００３】
（ア）の電子楽器の主な欠点は次の八点である。
（１）  本物の楽器で演奏する音よりもきれいに聞こえるため、自分の腕が上がったと錯覚してしまうこと。このため演奏指導者の多くが、自分の生徒に電子楽器を練習に使わないよう指導している。
（２）  電気的なピックアップやアンプ、スピーカー、ヘッドホン等の機材では、たとえどんなに良いものを使ったとしても人の耳に聞こえる楽器の音を完全に再現することはできないこと。
（３）  楽器本体の鳴りが体感できないこと。本物の楽器はどんな弾き方をすれば楽器が良くなるかを振動により感じ取ることができ、上達の手助けになる。しかし電子楽器では共鳴胴を持たないため振動が伝わらずそれを感じ取れない。
（４）  サウンドホールがないため演奏のポジションが掴みにくいこと。
（５）  電池やバッテリーが無いと使用できないこと。
（６）  音をスピーカーで再生する場合、練習用楽器自体が重くなったり、スピーカーがかさばったりすること。
（７）  音をヘッドホンで再生する場合、ヘッドホンが演奏の邪魔になること。
（８）  ギター等の電子楽器において爪弾きする場合、爪のノイズが確認できないこと。これは特にヘッドホンを使用している時である。
【０００４】
（イ）の本物の楽器の共鳴胴の部分をそのまま小さくした練習用楽器の欠点は、次の二点である。
（１）  本物の楽器と演奏感覚が異なること。共鳴胴の部分が小さいために構えが不安定になったり変な癖が付いたりするため、本物の楽器が弾きにくくなる。
（２）  音質が悪くなること。この理由については後で述べる。
【０００５】
（ウ）の本物の楽器に取り付ける弱音器の欠点は次の三点である。
（１）  本物の楽器の音とかなりかけ離れていること。
（２）  音を弱くする効果が少なく、特にヴァイオリン属において効果が少ないこと。
（３）  本物の楽器をそのまま使うため携帯性に欠けること。
【０００６】
【発明が解決しようとする課題】
従来の技術の欠点を無くすこと、すなわち次の四つの条件を兼ね備えた練習用楽器が求められる。
（１）  携帯性に富むこと。
（２）  本物の楽器の音質を供えること。
（３）  音響公害を防止できること。
（４）  本物の楽器と演奏感覚が同じこと。
【０００７】
【課題を解決するための手段】
上記の四つの条件を達成するために行った手段は次の五点である。
（１）  楽器の共鳴胴のブロックの形を凹状にする。
（２）  共鳴胴の幅を本物の楽器より小さくする。
（３）  共鳴胴の厚みを本物の楽器より薄くする。
（４）  適当な単位で分解及び組立が簡単な構造とする。
（５）  本物の楽器の各部分のうち演奏時に演奏者の体が実際に触れる部分を少なくとも備える形とする。
【０００８】
【実施例】
以下、本発明の練習用楽器をクラッシクギターに適用した場合の実施例を、添付図面を参照にして説明する。なお、このクラッシクギターの練習用楽器は、以下「練習用ギター」と表示する。
【０００９】
図２、図３及び図４はそれぞれ正面図、左側面図及び右側面図である。練習用ギターの棹Ｃ、糸倉Ｂ、サウンドホールＥ及びブリッジＪの部分は本物のギターとまったく同じであるが、頭Ａ、共鳴胴Ｄ、フレームＦ及びフレームＧの部分は本物のギターと異なる。
【００１０】
ではまず練習用ギターの頭Ａについて説明する。図３及び図４から分かるように頭Ａの部分は本物のギターの頭と異なり，糸倉とほぼ直角になっている。これは次の理由による。
（１）  置いた時などに糸倉の破損を防ぐため。
（２）  練習用ギターを分解した時、長さが短いと携帯しやすいため。
【００１１】
次に共鳴胴Ｄについて説明する。図６と図７はそれぞれ、本物のクラッシクギターの共鳴胴の内部と本発明の練習用ギターの共鳴胴の内部を示している。なお、この二つの図は同一の縮尺であり、どちらも表面板と裏板を取り除いて描いている。練習用ギターの共鳴胴は、本物のギターのそれと比較して幅が狭く、厚さも薄い。これは二つの理由による。
（１）  本物のギターより小さな音量となるようにするため。
（２）  携帯性を持たせるため。
本発明の共鳴胴内部で特徴的なのは、上下のブロックが凹形になっている点である。つまり図８の上部ブロックＤ４と下部ブロックＤ５である。この二つのブロックと横板Ｄ６〜Ｄ９により図７のような楕円状の形を成している。この構造の利点は次の六点である。
（１）  共鳴胴内部の凹凸をほぼ無くすことにより音質の向上に効果があることである。本物のギターの場合、図６のように共鳴胴内部はブロックＤ１０とＤ１１が本体内部にはみ出している。このブロックと横板とで音が溜まる部分Ｘ１〜Ｘ４ができる。この部分が、こもった音になる原因である。本発明では図７のようにブロック内部を凹面とすることにより共鳴胴部に音が溜まる部分ができず、澄んだ音が期待できる。
（２）  共鳴胴を小型化しても音がこもらないことである。本物のギターを単に小さくした場合、容積の割に音の溜まる部分Ｘ１〜Ｘ４の割合が増え、音がこもる原因となる。本発明のこの構造は共鳴胴を小さくした場合でも音の溜まる部分がないため音がこもらない。
（３）  共鳴胴を小型化しても音の低音や高音がバランスよくでることである。本物のギターの共鳴胴をそのまま小さくした場合、低音が出にくくなる。しかし本発明の共鳴胴では、共鳴胴と結合するフレームも一緒に共鳴するため低音、高音ともバランスよく出る。
（４）  共鳴胴部の製造が容易なことである。ブロックや横板は木材を切削して製造でき、本物のギターのように木材を曲げる工程が必要ない。
（５）  上部ブロックおよび下部ブロックが本物のギターの横板の役目もしているため横板がいらず軽量化できることである。
（６）  フレームを結合する部分が、丈夫な構造になっていることである。フレームは演奏者の体と接するため、共鳴胴との結合部分にかなりの力がかかる。そこでフレームとの結合部分の材料が厚くなるように設計したため破損しにくい極めて丈夫な構造になっている。
【００１２】
ではフレームについて説明する。前述の共鳴胴Ｄに、結合や分解が容易なフレームＦおよびＧを取り付けることにより、次のような役目を果たしている。
（１）  本物のギターを演奏するのと同一の構えや演奏感覚を得ることができる。
（２）  共鳴胴を響かせる役目を果たしている。
（３）  演奏者に本物の楽器と同じような振動を伝える役目を担っている。
【００１３】
このフレームの取り付け方法を図５で説明する。
（１）  共鳴胴のＤ３と下部フレームのＨ１を結合する。この結合はマジックテープＭ１とＭ３、マジックテープＭ２とＭ４による。
（２）  フレームＦを共鳴胴Ｄ及び下部フレームＨの溝に取り付ける。具体的に言うとＦ４とＤ１，Ｆ３とＨ２をそれぞれ棹の方向からはめ込む。
（３）  フレームＧを共鳴胴Ｄ及び下部フレームＨの溝に取り付ける。具体的に言うとＧ３とＤ２、Ｇ４とＨ４、Ｇ５とＨ３をそれぞれ棹の方向からはめ込む。
（４）  フレームＦ１に付属する布テープＳのマジックテープＭ５を、フレームＧ１のマジックテープＭ６に固定する。
この取り付け方法の利点は次のとおりである。
（１）  たとえマジックテープが外れても演奏時にギターのボディの下から上への力が余りかからないため、フレームが外れる可能性が少ないこと。
（２）  ネジ等よりも結合や分解が容易なこと。
（３）  演奏時、結合部のノイズが出にくいこと。
【００１４】
フレームの形はいろいろ変更が可能である。図９はクラッシックギター（右利き用）のフレームの案である。このフレームではフレームＧ９の部分を足の上に載せるようになっている。クラッシクギターでは通常、足台やギター支持具を使って演奏することが多いが、このフレームのギターでは、それらの器具が必要なく、足台を使うときに問題となる腰への負担が軽くなる。この構造はちょうど折りたたみ式のハンガーのようになっている。この図９の右側のフレームを分解したのが図１０である。Ｙ１〜Ｙ７までは軸Ｚを通すためのガイド穴である。具体的に言うとＹ１とＹ２が軸Ｚでつながっている。同じようにＹ３とＹ４，Ｙ５とＹ７，Ｙ６とＹ７がそれぞれ軸Ｚでつながっている。そして合計三個の軸Ｚを中心にフレームが可動するようになっていて、フレームＧ６のマジックテープＭ７とフレームＧ８のマジックテープＭ８で固定する。このマジックテープを外せば折りたたみが簡単である。
【００１５】
またフレームの材質を変えることにより共鳴胴を変えることなく音質、音量あるいは楽器の重さを変えることができる。楽器に使われているメイプルなどの木材のほか、金属あるいはプラスチックといったいろいろな材質が使用可能である。
【００１６】
本発明のもう一つの実施例としてヴァイオリンを例に挙げる。図１１はその概略図である。この共鳴胴の内部は練習用ギターと同じ構造で楕円状である。練習用ギターと異なる主な点は、サウンドホールが二つある点と、下側フレームがなく共鳴胴が長いことである。
【００１７】
【発明の効果】
本発明によれば、音響公害を防止でき、しかも持ち運びの容易な組み立て式であって、組み立て時に本物の楽器を演奏するのと同一の構えや運指の感触及び音質および響きを得ることの可能な、共鳴胴を有する練習用楽器が提供される。本発明は、ギターのほかヴァイオリンやチェロ、ウクレレ等の共鳴胴を持つさまざまな楽器の練習用楽器として応用できるため、場所や時間を気にせずに楽器の練習をしたいという楽器演奏家の希望にかなえることが出来る。
【００１８】
本発明の楽器を使用することにより、本物の楽器での演奏の音量を上げる技術を身に付けることが出来る。これは次の過程によるものである。
（１）  本発明の楽器で演奏すると音量が小さいと感じる。
（２）  本物の楽器の音量に慣れているため無意識に本物の楽器の音量で弾こうとする。
（３）  大きな音量が出せる技術が身につく。
（４）  本物の楽器で楽に大きな音量が出せる。
演奏会場で演奏すると思ったほど音量が出ない、という意見を演奏者からよく聞く。それら演奏家の音量アップの訓練をするのに本発明の楽器は最適と思われる。
【００１９】
本発明は、初心者でも手軽に本物の楽器と同じように使えるため、日常生活において身近に楽器の演奏する機会が増え、音楽の繁栄に寄与すると思われる。
【００２０】
本発明の楽器は練習用となっているが、音質が本物の楽器と同じため、小さな部屋などでは練習用だけでなくコンサート用としても十分活用できる。
【００２１】
本発明の凹状のブロックの構造は、本物の楽器そのものにも音質向上のために利用が可能である。
【図面の簡単な説明】
【図１】練習用ギターを示した斜視図である。
【図２】練習用ギターを示した正面図である。
【図３】練習用ギターを示した左側面図である。
【図４】練習用ギターを示した右側面図である。
【図５】練習用ギターを示した分解図である。
【図６】本物のギターの共鳴胴部を示した内部構造図である。
【図７】練習用ギターの共鳴胴部を示した内部構造図である。
【図８】練習用ギターの共鳴胴部を示した分解図である。
【図９】練習用ギターのフレームの一例を示した正面図である。
【図１０】図９の右側フレーム部分の分解図である。
【図１１】本発明をヴァイオリンへ応用した例を示した斜視図である。
【符号の説明】
Ａ・・・・・・・・・練習用ギターの頭
Ｂ・・・・・・・・・ギターの糸倉
Ｃ・・・・・・・・・ギターの棹
Ｄ・・・・・・・・・ギターの共鳴胴
Ｄ１〜Ｄ３・・・フレームと結合する部分
Ｄ４・・・・・・練習用ギターの上部ブロック
Ｄ５・・・・・・練習用ギターの下部ブロック
Ｄ６〜Ｄ７・・・練習用ギターの外部横板
Ｄ８〜Ｄ９・・・練習用ギターの内部横板
Ｄ１０・・・・・本物のギター内部の上部ブロック
Ｄ１１・・・・・本物のギター内部の下部ブロック
Ｄ１２・・・・・本物のギターの横板
Ｅ・・・・・・・・・サウンドホール
Ｆ・・・・・・・・・本発明の楽器の左側フレーム
Ｆ１・・・・・・左側上部フレーム
Ｆ２・・・・・・左側下部フレーム
Ｆ３・・・・・・下側フレームと結合する部分
Ｆ４・・・・・・共鳴胴と結合する部分
Ｇ・・・・・・・・・練習用ギターの右側フレーム
Ｇ１・・・・．．右側上部フレーム
Ｇ２・・・・・・右側下部フレーム
Ｇ３・・・・・・共鳴胴と結合する部分
Ｇ４〜Ｇ５・・・下部フレームと結合する部分
Ｈ・・・・・・・・・練習用ギターの下側フレーム
Ｈ１・・・・・・共鳴胴と結合する部分
Ｈ２・・・・・・左側フレームと結合する部分
Ｈ３〜Ｈ４・・・右側フレームと結合する部分
Ｊ・・・・・・・・・ブリッジ
Ｍ１〜Ｍ８・・・・・マジックテープ
Ｓ・・・・・・・・・フレームを固定する布のテープ
Ｘ１〜Ｘ４・・・・・ギター内部の音が溜まる部分
Ｙ１〜Ｙ７・・・・・練習用ギターのフレームのガイド穴
Ｚ・・・・・・・・・フレームを接続する軸
【図１】
2004334136.tif 000003
【図２】
2004334136.tif 000004
【図３】
2004334136.tif 000005
【図４】
2004334136.tif 000006
【図５】
2004334136.tif 000007
【図６】
2004334136.tif 000008
【図７】
2004334136.tif 000009
【図８】
2004334136.tif 000010
【図９】
2004334136.tif 000011
【図１０】
2004334136.tif 000012
【図１１】
2004334136.tif 000013